(57)【要約】【課題】焼き網の内筐体からの飛び出し量が大きく調理物の取り出しが容易な電気加熱調理器を提供する。【解決手段】前面に開口（図示せず）を有する加熱室５１を形成し両側壁に長穴Ａ５５を有する内筐体５０と、前記開口を開閉すると共に長穴Ｂ６１を設けた取付板５９を有する扉５８と、内筐体５０の上下に配された上ヒーター５２と下ヒーター５３間に配されると共に前部に引っ掛け部５４ａを有する焼き網５４と、長穴Ａ５５に端部が挿入されて摺動する網棒５６を後方へ付勢するばね５７と、内筐体５０に設けられ焼き網５４の前部を支持するストッパー６２から成り、焼き網５４の後部を網棒５６に係止し、引っ掛け部５４ａを長穴Ｂ６１に挿入して、扉５８の開閉動作と焼き網５４の移動とを連動させると共に、扉５８の閉止時に引っ掛け部５４ａが長穴Ｂ６１の扉５８側に位置するようにした。【選択図】図２
2006300400.tif 000002
【特許請求の範囲】
【請求項１】
前面に開口を有する加熱室を形成し両側壁に長穴Ａを有する内筐体と、前記開口を開閉すると共に長穴Ｂを設けた取付板を有する扉と、前記内筐体の上下にそれぞれ配された上ヒーター及び下ヒーターと、前記上・下ヒーター間に配されると前部に引っ掛け部を有する焼き網と、前記長穴Ａに端部が挿入されて摺動する網棒と、前記網棒を後方へ付勢するばねと、前記内筐体に設けられ前記焼き網の前部を支持するストッパーを備え、前記焼き網の後部を前記網棒に係止し、前記引っ掛け部を前記長穴Ｂに挿入して、前記扉の開閉動作に連動して、前記焼き網が前記内筐体内を前後方向に移動すると共に、前記扉の閉止時に前記引っ掛け部が前記長穴Ｂの前記扉側に位置するように構成した電気加熱調理器。
【請求項２】
長穴Ｂを、扉の回動中心となる支軸を中心として円弧上に設けた請求項１に記載の電気加熱調理器。
【発明の詳細な説明】
【技術分野】
【０００１】
本発明は、一般家庭用で、焼き網を備えた電気加熱調理器に関するものである。
【背景技術】
【０００２】
従来のこの種の電気加熱調理器においては、焼き網の後方部を、電気加熱調理器の内筐体の両側壁に設けた長穴内を摺動自在とし、前部を扉に設けた取付板に戴置して、扉の開閉に連動して焼き網を前後に摺動させるのが一般的な構成である（例えば、特開文献１参照）。
【０００３】
図７は、上記特許文献１に記載された従来の電気加熱調理器を示すもので、同図において、２４は前面に開口２５を有する加熱室２２を形成する内筐体で、内部に上、下ヒーター３３、３４を備えている。２３は前記開口２５を開閉する扉である。焼き網２７の後方は内筐体２４の両側壁に設けた長穴２４ｃ内を摺動自在とし、焼き網２７の前部は、扉２３に取付けた金具２６に嵌合して、扉２３の開閉に連動して焼き網２７を前後に摺動させるようになっている。
【特許文献１】特開平９−３７９６２号公報（第５頁、第１図）
【発明の開示】
【発明が解決しようとする課題】
【０００４】
しかしながら、前記従来の電気加熱調理器の構成では、扉２３を閉止状態から開放していくと、焼き網２７もすぐに前方へ摺動する為、焼き網２７の先端が扉２３に当たらないようにするには、焼き網２７と扉２３間の隙間を大きく取る必要があった。そのために扉２３の開放時、焼き網２７の内筐体２４からの飛び出し量が少なく、加熱後の調理物の出し入れ時等に、内筐体２４に手が触れやすく火傷の危険性が高いという課題を有していた。
【０００５】
本発明は、前記従来の課題を解決するもので、被調理物の出し入れ時内筐体へ手が触れにくく、安全性の高い電気加熱調理器を提供することを目的とするものである。
【課題を解決するための手段】
【０００６】
前記従来の課題を解決するために、本発明の電気加熱調理器は、前面に開口を有する加熱室を形成し両側壁に長穴Ａを有する内筐体と、前記開口を開閉すると共に長穴Ｂを設けた取付板を有する扉と、前記内筐体の上下にそれぞれ配された上ヒーター及び下ヒーターと、前記上・下ヒーター間に配されると前部に引っ掛け部を有する焼き網と、前記長穴Ａに端部が挿入されて摺動する網棒と、前記網棒を後方へ付勢するばねと、前記内筐体に設けられ前記焼き網の前部を支持するストッパーを備え、前記焼き網の後部を前記網棒に係止し、前記引っ掛け部を前記長穴Ｂに挿入して、前記扉の開閉動作に連動して、前記焼き網が前記内筐体内を前後方向に移動すると共に、前記扉の閉止時に前記引っ掛け部が前記長穴Ｂの前記扉側に位置するように構成したもので、扉を閉止状態から回動した時、焼き網の前部はストッパーで支持され、後部は、後方に付勢するばねにより位置決めされているので、長穴Ｂの長さの分焼き網は、扉の回動に連動せず停止して、扉と焼き網の先端との間が開くので、その後、扉の開成動作に連動させて焼き網を大きく摺動させても、それが扉に当たることもなく、扉の開放時の焼き網の飛び出し量を大きくすることができ、焼き網に載せた被調理物の取り出しが容易になり、安全で使用性の高い電気加熱調理器を提供することができる。
【発明の効果】
【０００７】
本発明の電気加熱調理器は、扉の開成時に、焼き網の先端が扉に当たることもなく、扉の開放時の焼き網の飛び出し量を大きくすることができ、安全で使用性に優れたものである。
【発明を実施するための最良の形態】
【０００８】
第１の発明は、前面に開口を有する加熱室を形成し両側壁に長穴Ａを有する内筐体と、前記開口を開閉すると共に長穴Ｂを設けた取付板を有する扉と、前記内筐体の上下にそれぞれ配された上ヒーター及び下ヒーターと、前記上・下ヒーター間に配されると前部に引っ掛け部を有する焼き網と、前記長穴Ａに端部が挿入されて摺動する網棒と、前記網棒を後方へ付勢するばねと、前記内筐体に設けられ前記焼き網の前部を支持するストッパーを備え、前記焼き網の後部を前記網棒に係止し、前記引っ掛け部を前記長穴Ｂに挿入して、前記扉の開閉動作に連動して、前記焼き網が前記内筐体内を前後方向に移動すると共に、前記扉の閉止時に前記引っ掛け部が前記長穴Ｂの前記扉側に位置するように構成したもので、扉を閉止状態から回動した時、焼き網の前部はストッパーで支持され、後部は、後方に付勢するばねにより位置決めされているので、長穴Ｂの長さの分焼き網は、扉の回動に連動せず停止して、扉と焼き網の先端との間が開くので、その後、扉の開成動作に連動させて焼き網を大きく摺動させても、それが扉に当たることもなく、扉の開放時の焼き網の飛び出し量を大きくすることができ、焼き網に載せた被調理物の取り出しが容易になり、安全で使用性の高い電気加熱調理器を提供することができる。
【０００９】
第２の発明は、特に、第１の発明の長穴Ｂを、扉の回動中心となる支軸を中心として円弧上に設けたもので、扉の回動時、焼き網の引っ掛け部の長穴Ｂ内での摺動がスムーズになるので、扉の開閉もスムーズになり、安全で使用性の高い電気加熱調理器を提供することができる。
【００１０】
以下に、本発明の実施の形態について図面を参照しながら説明する。なお、この実施の形態により本発明が限定されるものではない。
【００１１】
（実施の形態１）
図１は、本発明の第１の実施の形態における電気加熱調理器の正面図、図２乃至５は、同電気加熱調理器の断面図、図６は、同電気加熱調理器の焼き網の斜視図である。
【００１２】
図１〜６において、５０は、前面に開口５０ａを有する加熱室５１を形成する内筐体で、内筐体５０の上下には、上ヒーター５２、下ヒーター５３が配され、その上・下ヒーター５２、５３間には焼き網５４が配されている。内筐体５０の両側壁には長穴Ａ５５を設け、その両長穴Ａ５５に、網棒５６のそれぞれの端部が挿入されている。５７は、ばねで、一端を内筐体５０に、他端を網棒５６にそれぞれ取付けて、常時網棒５６を後方に付勢している。５８は開口５０ａを開閉する扉で、支軸６０を中心に回動自在に取り付けられている。
【００１３】
該扉５８には取付板５９が取付けられ、その取付板５９に、扉５８の回動時の中心となる支軸６０を中心とする円弧位置に長穴Ｂ６１を設けている。焼き網５４の後部を網棒５６に係止し、焼き網５４の前部に設けた引っ掛け部５４ａを取付板５９の長穴Ｂ６１に挿入して、扉５８の開閉動作に連動して焼き網５４が内筐体５０内を前後に摺動するように構成されている。６２はストッパーで、扉５８の閉成途中で焼き網５４の前部下端面を支持するように内筐体５０の両側面に取付けられている。扉５８の閉止時には、焼き網５４の後部は、内筐体５０の長穴Ａ５５内を摺動する網棒５６で、前部下端面は、ストッパー６２でそれぞれ支持され、この状態の時、焼き網５４の引っ掛け部５４ａは取付板５９の長穴Ｂ６１の扉５８側の位置になるように構成されている。
【００１４】
以上のように構成された電気加熱調理器について、以下その動作、作用を説明する。
【００１５】
まず、図２に示すように、扉５８の閉止時においては、焼き網５４は網棒５６を介してばね５７で後方に付勢され、焼き網５４の前部下端面はストッパー６２で支持され、焼き網５４の前部に設けた引っ掛け部５４ａは、取付板５９の長穴Ｂ６１の扉５８側の位置に挿入されている。
【００１６】
次に、扉５８を回動させて開放していくと、焼き網５４の引っ掛け部５４ａは、取付板５９の長穴Ｂ６１内を摺動する。この引っ掛け部５４ａが長穴Ｂ６１内を摺動している間は、焼き網５４は移動せず停止状態にある。扉５８を更に回動していくと、焼き網５４の引っ掛け部５４ａは長穴Ｂ６１の下端部（後端）に達し、焼き網５４の前方への移動が開始する。この為焼き網５４が移動を開始する時には、扉５８はすでに回動しているので、焼き網５４と扉５８間の隙間が大きく開いている。この後、扉５８のさらなる回動に連動して、焼き網５４が内筐体５０内を摺動することとなる。
【００１７】
以上のように、本実施の形態においては、扉５７の開閉に連動して移動する焼き網５４を、扉５８の閉止時、ストッパー６２と長穴Ｂ６１により一時扉５８の回動に焼き網５４を連動させないで、扉５８と焼き網５４の先端との間に充分な距離を確保してから連動させる構成としたこととなり、扉５８の開放時に、焼き網５４の内筐体５０からの飛び出し量を大きく設定することができるので、被調理物の取り出しが容易で、安全性が高く、使用性の良い電気加熱調理器とすることができる。
【産業上の利用可能性】
【００１８】
以上のように、本発明にかかる電気加熱調理器は、扉開放時の焼き網の飛び出し量が大きく、被調理物の取り出しが容易で、熱い内筐体に触れにくく、安全性の高いもので、オーブンやオーブントースター等の各種電気加熱調理器に適用できる。
【図面の簡単な説明】
【００１９】
【図１】本発明の実施の形態１における電気加熱調理器の正面図
【図２】同電気加熱調理器の扉閉止時の縦断面図
【図３】同電気加熱調理器の扉開成途中の縦断面図
【図４】同電気加熱調理器の扉開放時の縦断面図
【図５】同電気加熱調理器の横断面図
【図６】同電気加熱調理器の焼き網の斜視図
【図７】従来の電気加熱調理器の縦断面図
【符号の説明】
【００２０】
５０  内筐体
５０ａ  開口
５１  加熱室
５２  上ヒーター
５３  下ヒーター
５４  焼き網
５４ａ  引っ掛け部
５５  長穴Ａ
５６  網棒
５７  ばね
５８  扉
５９  取付板
６０  支軸
６１  長穴Ｂ
６２  ストッパー
【図１】
2006300400.tif 000003
【図２】
2006300400.tif 000004
【図３】
2006300400.tif 000005
【図４】
2006300400.tif 000006
【図５】
2006300400.tif 000007
【図６】
2006300400.tif 000008
【図７】
2006300400.tif 000009